(57)【特許請求の範囲】
【請求項１】
電話機インターフェースを複数実装するとともに、前記電話機インターフェースに接続した電話機に対して呼出信号を供給するための電力を供給する呼出信号用電源、及び、前記供給する電力を制御する呼出信号制御回路を備えた多重化装置において、前記呼出信号用電源から正負の２つの極性の電力を前記各電話機インターフェースに供給するとともに、前記電話機インターフェースを均等に２群に分割し、前記呼出信号制御回路から一方の群に第１の位相の信号を供給するとともに、他方の群に前記第１の位相を反転させた第２の位相の信号を供給するように接続したことを特徴とする呼出信号制御回路を備えた多重化装置。
【発明の詳細な説明】
【０００１】
【発明の属する技術分野】
本発明は呼出信号制御回路を備えた多重化装置に関するものであり、特に、電話機回線収容のために電話機インターフェース回路を複数実装した多重化装置の呼出信号用電源の小型化のための構成に特徴のある多重化装置に関するものである。
【０００２】
【従来の技術】
従来、ある交換機の電話機（発呼者）から他の交換機の電話機（被呼者）に接続する場合、発呼者が受話器を上げると加入者線を通して起動信号が発呼者の交換機に送られ、受信の準備が完了すると交換機から発信音（ｄｉａｌ  ｔｏｎｅ）が送られてくる。
【０００３】
次いで、発呼者の操作によって被呼者番号が交換機へ送られ、中継交換機を介しての被呼者の交換機を選択し、被呼者の交換機は被呼者に呼出信号（Ｒｉｎｇｉｎｇ）を送ってベル（電鈴音）を鳴らし、呼出音（ｒｉｎｇ−ｂａｃｋ  ｔｏｎｅ）を発呼者に送り返している。
【０００４】
この場合、呼出信号用電源から呼出信号制御回路により制御された電話機供給電圧が呼出信号として電話機インターフェースを介して被呼者の電話機に供給され、電鈴音を発生させているので、この様子を図４を参照して説明する。
なお、図４（ａ）は従来の呼出信号制御回路を備えた多重化装置の概念的な構成図であり、また、図４（ｂ）は呼出信号制御方法の説明図である。
【０００５】
図４（ａ）参照
図４（ａ）に示すように、従来の多重化装置２１においては、商用電源から供給された電源は、正極性及び負極性の２つの電源、＋Ｈv 及び−Ｈv に分割されて呼出信号用電源２２を構成する。
例えば、１５０Ｖの商用電源を用いて、＋７５Ｖの正極性の電源＋Ｈv と−７５Ｖの負極性の電源−Ｈv を構成する。
【０００６】
この呼出信号用電源２２からの電源＋Ｈv 及び−Ｈv は各電話機２５に接続する電話機インターフェース２４のリレー等の切替え手段に供給され、このリレー等の切替え手段の動作を呼出信号制御回路２３の信号Ｃによって制御することによって、リレー等の切替え手段の中点と呼出信号用電源２２のＧＮＤ（接地線）との間に発生した＋Ｈv 或いは−Ｈv からなる電話機供給電圧Ｖを呼出信号として電話機２５に供給し、電鈴音を発生させる。
【０００７】
図４（ｂ）参照
例えば、呼出信号制御回路２３の信号Ｃは、１６Ｈｚ〜２０Ｈｚの矩形波パルスから構成され、信号Ｃがロー（Ｌ）の時、電話機インターフェース２４は＋Ｈv を出力し、信号Ｃがハイ（Ｈ）の時、電話機インターフェース２４は−Ｈv を出力し、この正負の周期的電圧を電話機供給電圧Ｖとして、各電話機２５に供給する。
【０００８】
この場合、ｎ台の電話機1 〜電話機n が一斉に着信し、一斉に電鈴音を発生させた場合、ｎ台の電話機1 〜電話機n に同時に、電話機インターフェース1 〜電話機インターフェースn を介して同相で同電圧の電話機供給電圧Ｖ1 〜Ｖn が供給されることになる。
【０００９】
【発明が解決しようとする課題】
しかし、この様な呼出信号制御方法では、呼出信号用電源として最大供給電力の大きな電源が必要になり、近年のユーザーの要請である多重化装置の小型化に充分応えられないという問題がある。
【００１０】
即ち、従来の呼出信号制御方法では、全ての電話機に同相で同電圧の電話機供給電圧Ｖを供給しているので、ｎ台の電話機を一斉に鳴らすためにはｎ台分の電力供給が必要になり、ｎ台分の電力供給が可能な大きな容量を有する呼出信号用電源２２が必要になる。
【００１１】
また、従来の呼出信号制御方法においては、全ての電話機供給電圧Ｖ1 〜Ｖn が同相であるため、＋Ｈv を使用しているタイミングでは−Ｈv は完全に不使用状態になり、逆に、−Ｈv を使用しているタイミングでは＋Ｈv は完全に不使用状態になるので、本来有している電源能力の半分しか使用せず、使用効率の悪い状態になっている。
【００１２】
従来の多重化装置においては、収容する電話機回線の数が多く、大容量の電源装置を使用していたため、呼出信号電源用として使用する電力の比率が小さく、したがって、その使用効率はあまり問題にならなかった。
【００１３】
しかし、近年のユーザーの多重化装置の小型化の要請に対応して収容する電話機回線の数を４〜６回線等と少なくした場合、呼出信号用電源として使用する相対電力量を無視できない状況となりつつある。
【００１４】
例えば、多重化装置としての３１．３Ｗの使用電力に対して、呼出信号用電源として約９Ｗ使用しており、約３０％の電力を呼出信号用電力として使用していることになるので、使用効率の低さが問題となってきている。
【００１５】
したがって、本発明は、呼出信号発生のための最大供給電力の省力化により呼出信号用電源及び多重化装置を小型化することを目的とする。
【００１６】
【課題を解決するための手段】
図１は本発明の原理的構成の説明図であり、この図１を参照して本発明における課題を解決するための手段を説明する。
図１参照
（１）本発明は、電話機インターフェース４を複数実装するとともに、電話機インターフェース４に接続した電話機５に対して呼出信号を供給するための電力を供給する呼出信号用電源２、及び、供給する電力を制御する呼出信号制御回路３を備えた多重化装置１において、呼出信号用電源２から正負の２つの極性の電力を各電話機インターフェース４に供給するとともに、電話機インターフェース４を均等に２群に分割し、呼出信号制御回路３から一方の群に第１の位相の信号を供給するとともに、他方の群に第１の位相を反転させた第２の位相の信号を供給するように接続したことを特徴とする。
【００１７】
この様に、呼出信号制御回路３によって呼出信号用電源位相を標準及び反転させた論理の異なる２つの信号Ｃ1 ，Ｃ2 を発生させ、これを均等に２群に分割した電話機インターフェース群に供給することによって、呼出信号用電源２の最大供給電力を最少にすることができ、且つ、呼出信号用電源２の使用効率を最大にすることができる。
なお、この場合の“均等”とは電話機インターフェース４の数ｎが偶数の場合には、ｎ／２に分割することを言い、ｎ／２＋１＝ｋ番目の電話機インターフェースk から第２の信号Ｃ2 を印加し、ｎが奇数の場合には、（ｎ−１）／２と（ｎ＋１）／２とに、或いは、逆に、（ｎ＋１）／２と（ｎ−１）／２に分割することを言い、（ｎ−１）＋１／２＝ｋ番目の電話機インターフェースk から、或いは、（ｎ＋１）／２＋１＝ｋ番目の電話機インターフェースk から第２の信号Ｃ2 を印加する。
【００２０】
【発明の実施の形態】
ここで、本発明の実施の形態を図２及び図３を参照して説明する。
図２参照
図２は、本発明の呼出信号制御回路を備えた多重化装置１１の概念的な構成図であり、基本構成としては従来の多重化装置と同様であり、商用電源から供給された電力は、正極性及び負極性の７５Ｖの２つの電源、＋Ｈv 及び−Ｈv に分割されて呼出信号用電源１２を構成する。
【００２１】
この呼出信号用電源１２からの電源＋Ｈv 及び−Ｈv は、従来の多重化装置と同様に各電話機１５に接続する電話機インターフェース１４のリレー等の切替え手段に供給され、このリレー等の切替え手段の動作を呼出信号制御回路１３の信号によって制御することによって、リレー等の切替え手段の中点と呼出信号用電源１２のＧＮＤ（接地線）との間に発生した＋Ｈv 或いは−Ｈv からなる電話機供給電圧Ｖを呼出信号として電話機１５に供給し、電鈴音を発生させる。
【００２２】
但し、本発明の実施の形態においては、呼出信号制御回路１３は論理の異なる２つの信号Ｃ1 及びＣ2 を発生させるものであり、全体でｎ台の電話機インターフェース１４が実装されている場合、ｎが偶数の場合には、信号Ｃ1 を電話機インターフェース1 〜電話機インターフェースn/2 に供給し、一方、信号Ｃ2 を電話機インターフェースn/2+1 〜電話機インターフェースn に供給するものである。
【００２３】
なお、ｎが奇数の場合には、電話機インターフェース１４を（ｎ−１）／２個の群と（ｎ＋１）／２個の群に分割し、一方の電話機インターフェース群に信号Ｃ1 を供給し、他方の電話機インターフェース群に信号Ｃ2 を供給する。
【００２４】
図３参照
この呼出信号制御回路１３の信号Ｃ1 ，Ｃ2 は、１６Ｈｚ〜２０Ｈｚ、例えば、１６Ｈｚの矩形波パルス信号から構成され、互いの高低（“Ｈ”，“Ｌ”）が反転した信号、即ち、論理の反転した信号で構成される。
【００２５】
そして、信号Ｃ1 がロー（Ｌ）の時、電話機インターフェース1 〜電話機インターフェースn/2 は＋Ｈv を出力し、ハイ（Ｈ）の信号Ｃ2 が印加される電話機インターフェースn/2+1 〜電話機インターフェースn は−Ｈv を出力する。
【００２６】
一方、信号Ｃ1 がハイ（Ｈ）の時、電話機インターフェース1 〜電話機インターフェースn/2 は−Ｈv を出力し、ロー（Ｌ）の信号Ｃ2 が印加される電話機インターフェースn/2+1 〜電話機インターフェースn は＋Ｈv を出力する。
【００２７】
この結果、電話機1 〜電話機n/2 には、信号Ｃ1 と高低が反転した電話機供給電圧Ｖ1 〜Ｖn/2 が供給され、一方、電話機n/2+1 〜電話機n には電話機供給電圧Ｖ1 〜Ｖn/2 と正負が反転した電話機供給電圧Ｖn/2+1 〜Ｖn が供給される。
【００２８】
したがって、電話機1 〜電話機n/2 に電源＋Ｈv から電力が供給されている時には、電話機n/2+1 〜電話機n には電源−Ｈv から電力が供給され、また、電話機1 〜電話機n/2 に電源−Ｈv から電力が供給されている時には、電話機n/2+1 〜電話機n には電源＋Ｈv から電力が供給されることになる。
【００２９】
その結果、ｎ台の電話機1 〜電話機n が一斉に着信した場合にも、電話機1 〜電話機n/2 の半分の電話機に一方の電源から電話機供給電圧Ｖ1 〜Ｖn/2 が供給されている時には、電話機n/2+1 〜電話機n には他方の電源から電話機供給電圧Ｖ1 〜Ｖn/2 とは逆相の電話機供給電圧Ｖn/2+1 〜Ｖn が供給されることになるので、呼出信号用電源１２の最大供給電力、従って、最大電力容量を従来の１／２にすることができる。
【００３０】
以上の本発明の実施の形態の説明においては、典型的な電話機及びその呼出信号の制御装置として説明しているが、本発明は典型的な電話機に限られるものでなく、相互対話型の通信端末一般、即ち、広義の電話機に適用可能なものであり、呼出信号も電鈴音である必要はなく、光の点滅による呼出でも良い。
【００３１】
【発明の効果】
本発明によれば、論理の異なる２つの呼出信号制御信号を用いて呼出信号を発生させているので、呼出信号用電源の使用効率が高まり、呼出信号用電源の最大電力容量を低減することができ、それによって、電話機インターフェースを複数実装した多重化装置の呼出信号用電源及び多重化装置自体を小型化することができる。
【図面の簡単な説明】
【図１】本発明の原理的構成の説明図である。
【図２】本発明の実施の形態の呼出信号制御回路を備えた多重化装置の構成図である。
【図３】本発明の実施の形態における呼出信号制御方法の説明図である。
【図４】従来の呼出信号制御回路を備えた多重化装置の説明図である。
【符号の説明】
１  多重化装置
２  呼出信号用電源
３  呼出信号制御回路
４  電話機インターフェース
５  電話機
１１  多重化装置
１２  呼出信号用電源
１３  呼出信号制御回路
１４  電話機インターフェース
１５  電話機
２１  多重化装置
２２  呼出信号用電源
２３  呼出信号制御回路
２４  電話機インターフェース
２５  電話機
【図１】
0003663564.tif 000002
【図２】
0003663564.tif 000003
【図３】
0003663564.tif 000004
【図４】
0003663564.tif 000005